(57)【要約】【課題】本発明の課題は、箱内の納められた宝飾品の周りの装飾の為の照明具を備えた宝飾品箱として、上記の「安っぽく見え」好ましくないという欠点を排除し、照明手段（光源）を意識させずに、なぜか光る（光装飾される）という不思議感を与える宝飾品箱を提供するものである。【解決手段】本発明による宝飾品箱では、通常の宝石を見る姿勢からは、照明手段（光源）は見えずに、照明手段の光が当たったリング等や台座上で、反射拡散パターンとして見えるため、照明手段を直接視認することはなく、なぜか美しく光る（光装飾される）という不思議感を醸成し、技術の臭いを感じさせることない効果を可能としたものである。【選択図】図１
2019111145.tif 000002
【特許請求の範囲】
【請求項１】
宝飾品を収容する箱本体と、前記箱本体に開閉自在に付いた蓋体と、前記蓋体に備え、前記宝飾品又は／及び前記宝飾品の周りを照明する照明手段と、前記照明手段へ電力を供給する電源手段と、前記電源手段を入切させるスイッチ手段と、前記蓋体の内側に収納され、前記照明手段が見えないように前記照明手段を収納する窪みを有する蓋内蔵体と、を有することを特徴とする宝飾品箱。
【請求項２】
前記照明手段を覆う位置で、前記窪みを覆うように前記蓋内蔵体の表面側に設置され、前記照明手段の前記照明の光を透過し、前記宝飾品又は／及び前記宝飾品の周りに装飾を与える透過装飾板を備えたことを特徴とする請求項１記載の宝飾品箱。
【請求項３】
前記透過装飾板は、色又は及び形状パターンを備え、前記装飾を与えることを特徴する請求項２記載の宝飾品箱。
【請求項４】
前記透過装飾板は、重層構造を持ち、下層は透過性で堅い板であり、上層は前記下層の板に貼り付け容易で前記色又は及び前記形状パターンを有するものであることを特徴とする請求項３記載の宝飾品箱。
【請求項５】
前記蓋内蔵体の前記窪みと前記前記透過装飾板は、互いに嵌り固定可能な構造を備えることを特徴とする請求項２から請求項４のいずれか１つに記載の宝飾品箱。
【発明の詳細な説明】
【技術分野】
【０００１】
本発明は、箱内の納められた宝飾品又は／及びその周りの装飾の為の照明具を備えた宝飾品箱に関するものである。
【背景技術】
【０００２】
装飾の為の照明具を備えた宝飾品箱の先行文献として特許文献１から特許文献７が見出され、図５に示すものである。特許文献１は、５−Ａのものであり、リングを収める台座にｖ字形状の凹みを設けて、リングを照明したときのリングの陰影がハート型にするものである。特許文献２は、５−Ｂに示すものであり、蓋体の先端に取り付け、外し自在の照明具（ＬＥＤ）を付け、蓋をあけた状態で、照明具の光が宝飾品に当たる状態にしたものである。特許文献３は、５−Ｃに示すものであり、蓋を開閉するヒンジが開閉方向にバネ付勢され、ヒンジが照明具を点灯するスイッチを兼用した構成である。
特許文献４は、５−Ｄに示すものであり、蓋開閉時に照明、ＢＧＭ、メッセージなどのスイッチが入るもので、ＢＧＭ、メッセージのデータをロードするためのコネクタを有している。特許文献５は、５−Ｅに示すものであり、蓋内にＬＥＤ、スイッチを有する。
特許文献６は、５−Ｆに示すものであり、宝石箱の蓋に紫外線照射手段を有し、紫外線により天然ダイアモンドの蛍光パターンの観測を可能とするものである。
以上の特許文献１から特許文献６までに共通な特徴として、ＬＥＤ、紫外線照射手段等の照明手段が、蓋側の内側にあり、且つ、露出して見える構成となっていることである。
照明手段は、装飾照明という目的を十分発揮しているが、宝飾品対象という特殊な事情を考慮すると、必ずしも十分ではない状況にある。すなわち、ＬＥＤ等の照明手段という技術的手段を露出し、購買者に目に見えるようにすることは、「安っぽく見え」好ましくないという感性を持つ人がかなりの割合でいる。極端に言えば、配線パターンを露出することは、もっと好ましくない。ここで求められることは、装飾目的の照明されたパターンのみであり、それ以外の技術的部分は、余程の特殊な目的以外は、感覚的に好ましくないのである。このことは、宝飾箱では特に重要な要素であるが、考慮されていない欠点である。
特許文献７は、５−Ｇに示すものであり、前６つの先行文献とは、違い、唯一、発光手段が容器本体側にあり、リング等の宝飾品を下から照らし、蓋の上に透光手段を付けることで、蓋が閉じた状態でも透けてくる光を見えるようにしたものである。透光手段の上には、リングを載せる定板があり、この板も光を透過するために透明である必要がある。その結果、透光手段が定板を通して見え、例えば、ガラス等の定板では、通常、リングが載っている起毛体のような柔らかで高級なイメージが出にくいと思われる。蓋側に照明手段があるものとは、違った構成範囲のものと言える。
【先行技術文献】
【特許文献】
【０００３】
【特許文献１】特許第５２６０１４３
【特許文献２】実用新案登録第３１７０４８５
【特許文献３】特許第４６２５４０９
【特許文献４】特開２００８−２７９２２７
【特許文献５】実用新案登録３１１１６０８
【特許文献６】特開２００１−２１１９２２
【特許文献７】実用新案公報Ｈ０３−６７１２４
【発明の概要】
【発明が解決しようとする課題】
【０００４】
本願は、上記の先願の技術の欠点を考慮したときに、箱内の納められた宝飾品又は／及びその周りを装飾する為の照明具を備えた宝飾品箱として、上記の「安っぽく見え」好ましくないという欠点を排除し、照明手段（光源）を意識させずに、なぜか光る（光装飾される）という不思議感を与える宝飾品箱を提供するものである。
【課題を解決するための手段】
【０００５】
以下、請求項に沿って記述する。
請求項１記載の発明は、宝飾品箱であって、
宝飾品を収容する箱本体と、前記箱本体に開閉自在に付いた蓋体と、前記蓋体に備え、前記宝飾品又は／及び前記宝飾品の周りを照明する照明手段と、前記照明手段へ電力を供給する電源手段と、前記電源手段を入切させるスイッチ手段と、前記蓋体の内側に収納され、前記照明手段が見えないように前記照明手段を収納する窪みを有する蓋内蔵体と、を有することを特徴とする。
【０００６】
請求項２記載の発明は、請求項１記載の宝飾品箱において、
前記照明手段を覆う位置で、前記窪みを覆うように前記蓋内蔵体の表面側に設置され、前記照明手段の前記照明の光を透過し、前記宝飾品又は／及び前記宝飾品の周りに装飾を与える透過装飾板を備えたことを特徴とする。
【０００７】
請求項３記載の発明は、請求項２記載の宝飾品箱において、
前記透過装飾板は、色又は及び形状パターンを備え、前記装飾を与えることを特徴する。
【０００８】
請求項４記載の発明は、請求項３記載の宝飾品箱において、
前記透過装飾板は、重層構造を持ち、下層は透過性で堅い板であり、上層は前記下層の板に貼り付け容易で前記色又は及び前記形状パターンを有するものであることを特徴とする。
【０００９】
請求項５記載の発明は、請求項２から請求項４のいずれか１つに記載の宝飾品箱において、
前記蓋内蔵体の前記窪みと前記前記透過装飾板は、互いに嵌り固定可能な構造を備えることを特徴とする。
【発明の効果】
【００１０】
以上の様に構成されているので、本発明による宝飾品箱では、通常の宝石を見る姿勢からは、照明手段（光源）は見えずに、照明手段の光が当たったリング等や台座上で、反射拡散パターンとして見えるため、照明手段を直接視認することはなく、なぜか美しく光る（光装飾される）という不思議感を醸成し、技術の臭いを感じさせることない効果をもたらす。
【図面の簡単な説明】
【００１１】
【図１】本発明にかかる宝飾品箱の一実施態様を示す図である。
【図２】本発明にかかる宝飾品箱の別の実施態様（透過装飾板を有する）を示す図である。
【図３】本発明にかかる宝飾品箱に利用する透過装飾板の実施態様を示す図である。
【図４】本発明にかかる宝飾品箱の透過装飾板による装飾状態を示す図である。
【図５】従来の宝飾品箱を示す図である。
【発明を実施するための形態】
【００１２】
本発明にかかる宝飾品箱は、宝飾品１を収容する箱本体１１０とこれに開閉自在に付いた蓋体１２０と、蓋体１２０に備えた照明手段（ＬＥＤ等の発光手段）１３０、照明手段１３０への電力を供給する電源手段と電源手段の入切をさせるスイッチ手段と、蓋体１２０の内側に収納され、照明手段１３０が見えないようにこれを収納する窪み１４１を有する蓋内蔵体１４０を有している。
箱本体１１０と蓋体１２０の端には、開閉のためのヒンジが付いていると都合がよい。
又、スイッチ手段は、手動で行ってもよいが、蓋の開閉により、特に開いた場合に電源を入れることが好ましい。尚、図においては、スイッチ手段や電源手段は、図示は省略してあるが、あるのは当然である。
尚、照明手段は、光が広がる（拡散性）特徴を有するものが好ましい。これは、拡散板のような光学材を介してもよい。
【００１３】
図１は、本発明にかかる宝飾品箱の一実施態様を示す図である。
箱本体１１０と蓋体１２０と、照明手段（ＬＥＤ等の発光手段）１３０と、窪み１４１と蓋内蔵体１４０が図に示されている。１−Ａ、１−Ｃ、１−Ｅは、宝飾品箱１００全体を、１−Ｂと１−Ｄは、蓋体１２０側のみ示している。
１−Ａ、１−Ｂと１−Ｃ、１−Ｄ、１−Ｅとの差異は、図のように、蓋内蔵体１４０に有する窪み１４１の形状の違いである。前者は、直方体溝、後者は、円柱溝であるが、他の形状でもよい。正方体や、六方体形状でもよいことは当然である。溝１４１は、照明手段１３０が溝内に収納された場合に、蓋内蔵体１４０の表面から出ないで収容される。
そのことにより、照明手段１３０は、見えないか又は、見えにくくなる。
尚、１−Ｃと１−Ｅは、同じであるが、１−Ｅでは、蓋内蔵体１４０が表面形状が円形の溝を有していることを見やすくするため、蓋内蔵体１４０の表面を塗りつぶした表現にしてある。
【００１４】
図２は、本発明にかかる宝飾品箱の別の実施態様（透過装飾板を有する）を示す図である。
透過装飾板１５０は、蓋内蔵体１４０の表面で照明手段１３０の上の位置に取り付けられる。照明手段１３０は、蓋内蔵体１４０の表面より、溝の内側にあるため、透過装飾板１５０は取り付けが容易である。取り付け方は、単純な貼付けでもよいし、他の手段でもよい。透過装飾板１５０は、２−Ａのような一枚板構成でもよい。重層構造では、下層は透過性で堅い板であり、上層はこれに貼り付けるもので装飾パターンを有するものであると、上層のみ容易に取り付け外しが可能である。
蓋内蔵体１４０の溝１４１と透過装飾板１５０とは、互いに嵌り固定可能な構造とすることが好ましい。２−Ｂでは、例えば、透過装飾板１５０は、下駄のように歯１５１を有して、歯１５１が、窪み１４１の壁に接触し固定されることでもよい。尚、２−Ｂでは、透過装飾板１５０が２枚重ね構造になっている図であるが、２−Ａのように１枚構成でもよい。２−Ａ、２−Ｂは、窪み１４１が、直方体形状、２−Ｃ、２−Ｄは、窪み１４１が円柱形状の場合である。透過装飾板１５０の形状が、方形と円形になっているが、これにこだわらず、照明手段１３０の上に位置し、覆えればよい。そして、重要なことは、透過装飾板１５０は、名称が示すように、光透過性であり、色が付いた板、シート、形状パターン（模様）が付いた板、シート又はこれらを備えた板、シートであり、照明手段１３０の光が透過して、広がることで、箱本体１１０又は宝飾品１又は／及びその周りに、透過装飾板１５０が備えた色や形状パターン（模様）を投影し映し出すことができるものである。
【００１５】
図３は、本発明にかかる宝飾品箱に利用する透過装飾板の実施態様を示す図である。
３−Ａでは、円板に複数の星形で描いたハートパターンであり、３−Ｂでは、方形板にハートパターンと「Ｉ  ＬＯＶＥ  ＹＯＵ  ！！」の文字がある。このような形状パターは、これに限らない。
【００１６】
図４は、本発明にかかる宝飾品箱の透過装飾板による装飾状態を示す図である。
例えば、この例では、３−Ａのパターンを透過装飾板１５０に備えている例であり、宝飾品１の周りに、複数の星形で描いたハートパターンが映し出されている。
【産業上の利用可能性】
【００１７】
以上のように本発明にかかる宝飾品箱は、照明手段を直接視認することはなく、なぜか美しく光る（光装飾される）という不思議感を醸成し、技術の臭いを感じさせることない状態で装飾ができるため、産業上利用して極めて好都合である。
【００１８】
１  宝飾品
１１０  箱本体
１２０  蓋体
１３０  照明手段
１４０  蓋内蔵体
１４１  窪み
１５０  透過装飾板
１５１  歯
【図１】
2019111145.tif 000003
【図２】
2019111145.tif 000004
【図３】
2019111145.tif 000005
【図４】
2019111145.tif 000006
【図５】
2019111145.tif 000007